(57)【要約】【課題】公告内容が廉価な費用で容易に変更可能であり、部分的に不完全な公告とならず、両端にロールを設け、これらロールに巻回した表裏使用可能なロールスクリーンを使い、昼と夜の広告に切り替えられる屋外公告の方法および装置を提供する。【解決手段】一方の側面に開口部を形成された箱体、箱体内に設置されるとともに開口部へ投影可能に設置された投影機および投影機に装着される公告内容を撮影したポジティブ写真フィルムにより構成され、ポジティブ写真フィルムに光源から投光され、ポジティブ写真の画像がスクリーンに投影されることを特徴とする。【選択図】    図１
2004333551.tif 000002
【特許請求の範囲】
【請求項１】
公告内容を撮影されているポジティブ写真フィルムに光源から照明が投光され、ポジティブ写真の画像がスクリーンに投影されることを特徴とする屋外公告方法。
【請求項２】
画像を投影される前記スクリーンが建造物の外壁面であることを特徴とする請求項１に記載の屋外公告方法。
【請求項３】
画像を投影される前記スクリーンが白色スクリーンであることを特徴とする請求項１に記載の屋外公告方法。
【請求項４】
複数のショットを撮影されている前記ポジティブ写真フィルムが所定時間毎にショットを変更して投影されることを特徴とする請求項１ないし３に記載の屋外公告方法。
【請求項５】
一方の側面に開口部を形成された箱体、該箱体内に設置されるとともに前記開口部へ投影可能に設置された投影機および該投影機に装着される公告内容を撮影したポジティブ写真フィルムにより構成されることを特徴とする屋外広告装置。
【請求項６】
前記投影機がプロジェクタを備え、該プロジェクタが前記ポジティブ写真フィルムの複数のショットを所定時間毎に交換可能に構成されていることを特徴とする請求項５に記載の屋外広告装置。
【請求項７】
前記開口部がガラスにより被われていることを特徴とする請求項５および６に記載の屋外広告装置。
【請求項８】
前記開口部が巻き取りロールに装着された長尺材料の布状またはフィルム状スクリーンにより被われ、定期的に前記開口部の長さ分を巻取り可能に構成されていることを特徴とする請求項５および６に記載の屋外公告装置。
【請求項９】
前記開口部の外面上部にファンが設けられ、開口部の全巾にわたり前記箱体外面に沿ってエァカーテンを形成可能に構成されていることを特徴とする請求項５ないし８に記載の屋外公告装置。
【発明の詳細な説明】
【０００１】
【発明の属する技術分野】
本発明は、夜間の屋外における公告の方法および装置に関する。
【０００２】
【従来の技術】
従来の夜間の屋外における公告は、看板、ネオンサインあるいは電光掲示板により行われている。看板の場合は、公告内容を描かれた公告板が掲げられ、夜間になると板面が複数箇の照明灯により照射されている。ネオンサインの場合は、公告内容の文字あるいは図形の輪郭を必要に応じて多色のネオン灯により形成され、夜間になるとネオン灯が点灯されている。電光掲示板の場合は、文字あるいは図形の形に必要に応じて多色の多数箇の電球を板面上に並べて配置し、夜間になると点灯あるいは点滅するように構成されている。これらの公告は、出来るだけ多くの人の目に止まるように、また、遠方からも見えるように、通常、建造物の高所の壁面あるいは屋上に設置されている。
【０００３】
【発明が解決しようとする課題】
従来の夜間における屋外公告の方法および装置は以上のように構成されていたため、つぎのような課題が存在していた。すなわち、看板、ネオンサインあるいは電光掲示板による公告では、何れの場合でも公告の内容を変更するには新しく製作し直さなければならず、そのための作業を含めて大きな費用が掛り、長時間を必要とする。照明灯、ネオン灯あるいは電光掲示板を構成する一部の電球あるいはネオン灯が切れると、不完全な醜い公告となる。新しい公告への取換え作業および切れた電球の交換は危険を伴う高所作業となり、電気技術者等の資格を持った専門の作業者による作業が必要となる。
【０００４】
本発明は以上のような課題を解決するためになされたものであり、公告内容が廉価な費用で容易に変更可能であり、部分的に不完全な公告とならない、夜間における屋外公告の方法および装置を提供することを目的とする。
【０００５】
【課題を解決するための手段】
本発明による夜間における屋外公告の方法は、公告内容を撮影されているポジティブ写真フィルムに光源から照明が投光され、ポジティブ写真の画像がスクリーンに投影されることを特徴とする方法である。
【０００６】
詳細には、画像を投影される前記スクリーンが建造物の外壁面であることを特徴とする方法である。
【０００７】
詳細には、画像を投影される前記スクリーンが半透明スクリーンであることを特徴とする方法である。
【０００８】
詳細には、複数のショットを撮影されている前記ポジティブ写真フィルムが所定時間毎にショットを変更して投影されることを特徴とする方法である。
【０００９】
本発明による夜間における屋外公告の装置は、一方の側面に開口部を形成された箱体、該箱体内に設置されるとともに前記開口部へ投影可能に設置された投影機および該投影機に装着される公告内容を撮影したポジティブ写真フィルムにより構成されることを特徴とする装置である。
【００１０】
詳細には、前記投影機がプロジェクタを備え、該プロジェクタが前記ポジティブ写真フィルムの複数のショットを所定時間毎に交換可能に構成されていることを特徴とする装置である。
【００１１】
詳細には、前記開口部がガラスにより被われていることを特徴とする装置である。
【００１２】
詳細には、前記開口部が巻き取りロールに装着された長尺材料の布状またはフィルム状スクリーンにより被われ、定期的に前記開口部の長さ分を巻取り可能に構成されていることを特徴とする装置である。
【００１３】
詳細には、前記開口部の外面上部にファンが設けられ、開口部の全巾にわたり前記箱体外面に沿ってエァカーテンを形成可能に構成されていることを特徴とする装置である。
【００１４】
【発明の実施の形態】
以下、図面とともに本発明による夜間における屋外公告の方法および装置の好適な実施の形態について詳細に説明する。図１は本発明による屋外公告装置を示す側面断面図である。図１において、符号１で示すものは屋外公告装置であり、該屋外公告装置１は箱体１１、該箱体１１内に収納されて光源２１、拡大レンズ２２およびショット交換用プロジェクタ２３により構成される投影機、およびスクリーン３１により構成されている。
【００１５】
前記箱体１１は一方の側面に開口１１ａを形成され、下面部に吸気口１１ｂ、上部に換気扇を備えた排気口１１ｃが形成されている。前記箱体１１の内部には前記プロジェクタ２３および前記光源２１に送風可能な冷却ファン１２が設けられている。前記開口１１ａの外面上部には送風ファン１３が設けられ、開口１１ａの全巾にわたり前記箱体１１外面に沿って下方へ空気を吹出し可能に構成されている。また、下面部にはウォーム・ウォームフォイル機構１４が設けられ、前記投影機の投影方向を調整可能に構成されている。
【００１６】
前記光源２１には予備光源２１ａが並列して準備されており、光源２１が切れた場合直ちに点灯可能に構成されている。前記拡大レンズ２２はオートフォーカス機能を備え、自動的に投影画像のピント合せが可能なように構成されている。前記プロジェクタ２３は複数ショットのポジティブ写真フィルムを収納するとともに所定時間毎にショットを順次交換し、１巡毎に繰返し交換することが可能に構成されている。すなわち、複数枚の１ショットのポジティブ写真フィルムを収納してもよく、複数のショットを撮影した１本の長尺のフィルムを収納してもよい。
【００１７】
前記箱体１１の開口１１ａには開口状態のままでもよいが、通常は、前記スクリーン３１により被われている。該スクリーン３１はガラスあるいは布状またはフィルム状可撓材料により構成される。前記スクリーン３１がガラスの場合は窓形式に構成される。前記スクリーン３１が可撓材料の場合は、通常前記開口１１ａの内側の上下２箇所にそれぞれ巻取りロール３２を設け、長尺材料を該巻取りロール３２に巻いて配置される。可撓材料の前記スクリーン３１は、定時間毎に前記巻取りロール３２が回転駆動され、前記開口１１ａの長さ分を巻き取り可能に構成されている。前記スクリーン３１が一方向へ巻取り終ると逆方向へ巻取られ、交互に逆方向へ巻取られる。さらに各前記巻取りロール３２にはブラシ３３が設けられ、前記スクリーン３１の両側表面を清掃可能に構成されている。
【００１８】
前記スクリーン３１は、ポジティブ写真の画像が建築物の外壁面あるいは外部に箇別に設けられた半透明スクリーンに投影される場合は透明材料を使用され、スクリーン３１に直接投影される場合は半透明材料を使用される。すなわち、前記箱体１１を広告塔とし、公告面として適宜の大きさの開口１１ａに半透明の前記スクリーン３１を設け、該スクリーン３１に公告の画像を投影することが可能である。
【００１９】
以上のように構成された屋外広告装置は建造物の屋上等の人が容易に立入り可能な箇所に設置され、以下のように作用する。まず、プロジェクタ２３に公告の文字あるいは図柄を撮影した１ショット毎の複数枚のポジティブ写真フィルム、または複数ショットを撮影した長尺のポジティブ写真フィルムを装着する。半透明のスクリーン３１に投影する場合は、公告面が投影面の裏側になるので、投影面の画像の左右が逆になるようにポジティブ写真フィルムを装着する。
【００２０】
つぎに、屋外が暗くなる夜間において、排気口１１ｃの換気扇および冷却ファン１２を起動し、光源２１を点灯する。光源２１の点灯により、プロジェクタ２３に装着されたポジティブ写真フィルムの画像が拡大レンズ２２を経てスクリーン３１へ、あるいはスクリーン３１を通過して建築物の外壁面または箇別に設けられた半透明スクリーンへ拡大して投影される。同時に拡大レンズ２２のオートフォーカス機能により投影画像のピントが合せられる。また、ウォーム・ウォームフォイル機構１４を操作して公告画像の投影位置を調整する。その結果、建築物の外壁面に投影された画像あるいは半透明のスクリーンの反投影面に映し出される画像が、公告として人の目に触れる。
【００２１】
光源２１の点灯により光源２１が放熱し箱体１１内が徐々に高温になろうとするが、排気口１１ｃにより吸気口１１ｂから外気が吸入され、排気口１１ｃにより箱体１１内の空気が排出されるとともに、冷却ファン１２により箱体１１内の空気が攪拌されることにより、箱体１１内の昇温が阻止される。
【００２２】
その後、プロジェクタ２３において複数の公告ショットが所定時間毎に順次交換され、投影される公告内容が順次変る。また、送風ファン１３を運転することにより、開口１１ａの全巾にわたり箱体１１外面に沿って上部から下方へ空気が吹出され、エァカーテンが形成される。その結果、スクリーン３１の明かりに集まってくる虫が排除され、虫により投影画像の公告内容が損われることが無くなる。スクリーン３１は所定時間毎に巻取りロール３２が回転駆動されて開口１１ａの長さ分を巻取られる。また、ブラシ３３により両側表面を清掃されることにより、スクリーン３１は、常時、付着物による汚染を防止されている。
【００２３】
投影中に光源２１が切れた場合は、予備光源２１ａが直ちに点灯し、投影を継続する。切れた光源２１は、昼間の間に交換される。複数の公告の全部または一部を新たな公告に変更する場合あるいは新たな公告を追加する場合は、新たな公告のポジティブ写真フィルムを製作し、現在のものと交換するあるいは現在のものに追加する。公告を中止する場合は、該当する公告のポジティブ写真フィルムを削除する。
【００２４】
【発明の効果】
本発明による夜間における屋外公告の方法および装置は以上のように構成されていることにより、以下のような効果を得ることができる。すなわち、
（１）一方の側面に開口部を形成された箱体、箱体内に設置されるとともに開口部へ投影可能に設置された投影機および投影機に装着される公告内容を撮影したポジティブ写真フィルムにより構成され、ポジティブ写真フィルムに光源から投光され、ポジティブ写真の画像がスクリーンに投影されることにより、公告内容がフィルムに撮影されたポジティブ写真により実現され、屋外公告が廉価な費用で容易に製作可能になるとともに変更可能になった。また、部分的な電球の切れによる不完全な公告は無くなった。さらには、屋外広告装置は公告画像を投影可能な建造物の屋上等の人が容易に立入り可能な箇所に設置されることにより、装置の保全に危険性が無くなり、簡単な保全作業なので特に資格等を必要としなくなった。
【００２５】
（２）投影機がショット交換プロジェクタを備えてポジティブ写真フィルムの複数のショットを所定時間毎に交換可能に構成され、複数のショットが、所定時間毎にショットを変更して投影されることにより、同一画面において廉価な費用で容易に複数の屋外公告を実施することが可能になった。
【００２６】
（３）開口部が巻取り装置に装着された長尺材料の半透明布状またはフィルム状スクリーンにより被われ、定期的に前記開口部の長さ分を巻き取り可能に構成されるとともに、開口部の外面上部にファンが設けられ、開口部の全巾にわたり箱体外面に沿ってエァカーテンを形成可能に構成されていることにより、常時清浄なスクリーンに虫などによる影響を受けることなく、鮮明な公告画面を提供できるようになった。
【図面の簡単な説明】
【図１】本発明による屋外公告装置を示す側面断面図である。
【符号の説明】
１            屋外公告装置
１１            箱体
１１ａ        開口
１１ｂ        吸気口
１１ｃ        排気口
１２            冷却ファン
１４            ウォーム・ウォームフォイル機構
１３            送風ファン
２１            光源
２１ａ        予備光源
２２            拡大レンズ
２３            プロジェクタ
３１            スクリーン
３２            巻取りロール
３３            ブラシ
【図１】
2004333551.tif 000003